(57)【要約】【課題】対象物の形状や状態に従って挟持部が変形可能な鉗子を提供する。  【解決手段】対となる挟持部５，１５は外側にアーチ状に湾曲した外側部材８，１８と、外側部材８、１８の後端部９ｂ、１９ｂで固定され挟持面を形成する弾性曲げ可能な内側部材９，１９と、挟持部５、１５の隙間５ａ，１５ａに先端部１０ａ´、１０ｂ´、２０ａ´、２０ｂ´が内側部材９、１９の隙間５ａ，１５ａに摺動自在で、後端側が後端部９ｂ、１９ｂで内側部材９、１９及び外側部材８、１８の間に挟着して固定され、かつ外側部材８、１８よりも大きな曲率で形成されたアーチ型の第１、第２弾性支持部材１０ａ、１０ｂ、２０ａ、２０ｂが形成されている。【選択図】図１
2010259677.tif 000002
【特許請求の範囲】
【請求項１】
一端に対象物を挟持するための挟持部を有し他端に指を挿入するための操作部が設けられた１対の鉗子部材が交差され、交差部に設けられた枢軸部により相互に開閉可能に連結され前記操作部の開閉により前記挟持部が開閉される鉗子において、前記挟持部の少なくとも一方が外側に凸に湾曲した外側部材と、前記外側部材の内周壁の長さより長く、前記外側部材の先端部から内周壁に沿って前記枢軸部までの距離よりも短く形成された板状の内側部材と、を有し、前記内側部材の一端が前記外側部材の前記先端部で固定され他端が移動端として前記枢軸部側へ渡設されたことを特徴とする鉗子。
【請求項２】
前記外側部材と前記内側部材の間に形成された隙間に前記外側部材よりも大きな曲率を有する一段及至複数段のアーチ型の弾性支持部材を有し、前記アーチ型の弾性支持部材は両端部のうち一端が前記外側部材に固定され、他端は前記内側部材の内面に摺動自在に当接されていることを特徴とする請求項１記載の鉗子。
【請求項３】
前記内側部材が前記隙間に蛇腹形、波形、円形、楕円形、多角形の内いずれか１形状に形成されている弾性支持部材が配設されていることを特徴とする請求項１に記載の鉗子。
【請求項４】
一方の挟持部が、平板状又は対向面が緩やかに外側に凸に湾曲して形成された鉗子部材であることを特徴とする請求項１及至３のいずれかに記載の鉗子。
【発明の詳細な説明】
【技術分野】
【０００１】
本発明は、対となる挟持部で対象物を挟持する鉗子に係り、特に対象物の形状や状態に応じて挟持部が変形可能な鉗子に関する。
【背景技術】
【０００２】
手術用に使用する鉗子は、主に対象物（生体の一部、手術用の糸、器具等）をつかむ、抑える、牽引することに使用され、例えば、（特許文献１）には、狭い肛門管内部での痔核を的確に挟持し、手術時の出血を最小限に押さえ、結紮時の煩雑さを容易にする鉗子が開示されている。また、（特許文献２）には、腹腔や胸腔における内視鏡下手術において受けるハサミ構造を有する手術器具類の決定的な制限を解消し、開腹・開胸における直視下手術操作と変わらない利便性・安全性を提供するとともに、患者および医療行政の負担の軽減という経済性をも提供する鉗子が開示されている。
しかしながら、鉗子の対向する挟持部が腸や血管等の対象物を挟持する場合、挟持部の材質が硬いので、挟持部のそのままの形状を維持した状態で対象物を掴んでしまい、場合によって、対象物を必要以上に圧迫し壊死させるようなことがあった。そこで、対象物の形状に合わせて挟持部を湾曲させることも可能であるが、これでは対象物の大きさに合わせて多数種の鉗子を用意する必要がある。
また、挟持部を柔らかい材質で構成すると、対象物の挟持力が弱くなり、鉗子としての十分な機能を発揮せず、部材が十分な剛性を有さないため、挟持部の先端での挟持力も弱まるという問題があった。
そこで、これらの問題を解決するために鋭意研究した結果、「挟持部が閉じた状態で対向する挟持部の先端が当接して小物対象物を挟持できる他、対となる挟持部は、弾性曲げ可能で先端で連結された外側部材及び内側部材と、外側部材と内側部材との間に隙間を有して配置された複数の支持部材とをそれぞれ有し、しかも、支持部材の端部は、外側部材の内側及び内側部材の内側に傾動自在に連結されているので、挟持部の中間で大物対象物を挟持した場合には、内側部材が湾曲すると共に、これに伴い支持部材を介して外側部材も押圧されて、挟持部が大物対象物を囲むように内側部材が屈曲して挟持できる挟持装置」（特許文献３）として出願した。
【先行技術文献】
【特許文献】
【０００３】
【特許文献１】特開平９−２９４７４６号
【特許文献２】特開２００４−２０９００９号
【特許文献３】特願２００８−２５４４９２号
【発明の概要】
【発明が解決しようとする課題】
【０００４】
しかしながら、上記（特許文献３）に記載の発明も更に研究を進めた結果、以下のような課題を有していることが分かった。
（１）挟持部は対象物形状に従って変形可能だが、挟持力は常に一定で可変できないという課題を有していた。
（２）挟持部は外側部材と内側部材との間にワイヤーやピン等によって連結された複数の支持部材を有しており、構造が複雑で部品点数が多く、生産性に欠けるという課題を有していた。
（３）部品点数が多く構造が複雑なので消毒等安全衛生上注意を要するという課題があった。
【０００５】
本発明は上記課題を解決するもので、対象物に応じて挟持圧力を調整しながら、かつ対象物が外れたり、抜けたり、滑ったりすることがなく確実に挟持でき、故障がなく、かつ均一な力で挟持し挟持斑がなく手術作業性に優れ、外側部材と内側部材との間の弾性支持部材は簡素な構造とし部品点数を減らし生産性に優れると共に、容易に分解洗浄をすることができる衛生性に優れた鉗子を提供することを目的とする。
【課題を解決するための手段】
【０００６】
上記従来の課題を解決するために本発明の鉗子は、以下の構成を有している。
本発明の請求項１に記載の鉗子は、一端に対象物を挟持するための挟持部を有し他端に操作部が設けられた１対の鉗子部材が交差され、交差部に設けられた枢軸部により相互に開閉可能に連結された鉗子において、前記挟持部の少なくとも一方が外側に凸に湾曲した外側部材と、前記外側部材の内周壁の長さより長く、前記外側部材の先端部から内周壁に沿って前記枢軸部までの距離よりも短く形成された板状の内側部材と、を有し、前記内側部材の一端が前記外側部材の前記先端部で固定され他端が移動端として前記枢軸部側へ渡設された構成を有している。
この構成により、以下のような作用が得られる。
（１）外側に凸に湾曲した外側部材と、弾性曲げが可能で外側部材と先端で連結された内側部材を有するので、内側部材が対象物である膵臓や腸等の臓器や血管等の器官の形状や状態、糸、器具等の外形に沿った変形が可能となり、対象物を過度に圧迫することなく確実に掴んだり牽引するために挟持することができる。
（２）内側部材の後端部は移動端なので、弾性曲げが可能で腸等の対象物の形状や状態に追随することができる。
（３）弾性曲げが可能で前記外側部材と先端で連結された内側部材は、閉じた状態で先端が当接して針や糸等の小物も挟持できるだけでなく、中央部は微妙な挟持圧で挟持することができる。
（４）挟持部は板状の外側部材と内側部材からなる簡素な構成であり容易に製造可能である。
（５）挟持部は板状の外側部材と内側部材からなる簡素な構成であり容易に洗浄・消毒が可能である。
【０００７】
ここで、挟持部間の対向面は、挟持部横断面が、一対の噛合する凹凸状に形成してもよい。特に、挟持面が縦溝を有する場合は、縦滑りがし易く、横滑りが起こり難いため臓器を挟持し易い。また、対象物の性質に合せて横溝や変形若しくは格子溝に形成してもよい。
【０００８】
尚、鉗子は、手で開閉を行ってもよいし、鉗子部材の交差部に設けられた枢軸部にサーボモーターを取り付けることで電動又は油圧制御による挟持も可能である。
【０００９】
鉗子部材は、ステンレス、チタン又はチタン合金、ポリアミド等のエンジニアリング樹脂等で作製される。特にチタン又はチタン合金製の鉗子部材は耐蝕性に優れており、好適に用いられる。
内側部材は断面が平板状、棒状、液板状、挟持面が凹凸状に形成されたものが用いられる。厚みとしては材質にもよるが０．０５ｍｍ〜１ｍｍに形成されるのが好ましい。幅は２ｍｍ〜１０ｍｍに形成されるのが好ましい。
外側部材の先端部と内側部材の一端部の固定はスポット溶接や接着剤による接着、螺着、挿着、嵌着、かしめ等の手段によって固定される。尚、内側部材の固定は着脱自在としてもよい。内側部材が塑性変形した場合の取り換えや消毒作業の作業性を向上できる。
内側部材の長さは、外側部材の内周壁の長さよりも長く形成される。挟持した際に内側部材が内周壁の円弧の後端部（内周壁から枢軸部側に沿っての変曲点）から外れないためである。
【００１０】
請求項２に記載の発明は、請求項１に記載の鉗子であって、前記外側部材と前記内側部材の間に形成された隙間に前記外側部材よりも大きな曲率を有する一段及至複数段のアーチ型の弾性支持部材を有し、前記アーチ型の弾性支持部材は両端部のうち一端が前記外側部材に固定され、他端は移動端とされ前記内側部材の内面に摺動自在に当接された構成を有している。
この構成により、以下のような作用が得られる。
（１）アーチ型の弾性支持部材の弾性率や段数を変更することにより挟持圧力分布の調整を行うことが可能となる。
（２）アーチ型の弾性支持部材の端部のうちいずれか一方は固定せず移動端とすることにより、弾性支持部材は外側部材に押圧力を伝えるが、モーメントは伝えないことになり、内側部材の対象物の形状や状態に応じた変形を行うことができる。
（３）アーチ型の弾性支持部材は板材を湾曲してなる簡素な構成であり容易に製造可能である。
（４）他端が移動端なので患者の血圧等の状況の変化に応じて、迅速に微妙な挟持圧の調整を行うことができる。
【００１１】
ここで、アーチ型の弾性支持部材の材質は鉗子部材と同様ステンレス、チタン又はチタン合金、ポリアミド等のエンジニアリング樹脂等で作製される。特にチタン又はチタン合金製の鉗子部材は耐蝕性に優れており、好適に用いられる。
アーチ型の弾性支持部材の厚みとしては材質にもよるが０．０５ｍｍ〜１ｍｍに形成されるのが好ましい。幅は内側部材と同じか小さく形成される。
アーチ型の弾性支持部材の一端と外側部材後端部との固定はスポット溶接や接着剤による接着、螺着、挿着、嵌着、かしめ等の手段によって固定される。
アーチ型の弾性支持部材の移動端と外側部材先端部との間には移動端が十分摺動可能な間隔が設けられ、複数段のアーチ型の弾性支持部材を有する際は、各々の移動端は均等な間隔に配置される。
【００１２】
請求項３に記載の発明は、請求項１に記載の鉗子であって、前記内側部材が前記隙間に蛇腹形、波形、円形、楕円形、多角形等の内いずれか１形状に形成されている弾性支持部材が配設された構成を有している。
この構成により、以下のような作用が得られる。
（１）弾性支持部材を隙間に嵌着させることができ着脱を容易に行うことが可能である。
（２）弾性支持部材の弾性率、数及び種類を変更することにより挟持圧力分布の調整を容易に行うことが可能で患者の血圧等の状況の変化に応じて、迅速に微妙な挟持圧の調整を行うことができる。
（３）弾性支持部材は板材を蛇腹形、波形、円形、楕円形、多角形等の簡単な形に加工した構成であり容易に製造可能である。
（４）弾性支持部材は容易に取り外して洗浄・消毒が可能であり、衛生性や安全性に優れる。
（５）弾性支持部材の高さを異ならせることにより、弾性支持部材の大きさを取り換えるだけで対象物の形状や状況に即応できる。例えば、円形の大中小の３種類つかいわけることにより達成できる。
ここで、弾性支持部材と外側部材と内側部材の各当接面には、弾性支持部材が手術中に外れないように係止する凹凸部等を形成した係止手段や孔部と突部のような嵌合手段が各々に形成されるのが好ましい。
【００１３】
請求項４に記載の発明は、請求項１及至３のいずれかに記載の鉗子であって、他方の挟持部が、平板状又は対向面が緩やかに外側に凸に湾曲して形成された構成を有している。
この構成により、以下のような作用が得られる。
（１）対向する挟持部のいずれか一方を平板状で形成した場合、臓器と臓器の間にある狭い隙間に簡単に挿入することができ作業性が向上する。
（２）対向する挟持部のいずれか一方を緩やかに湾曲して形成した場合、挟持部の中間で径の太い対象物も挟持し易く、かつ挟持部の先端側から対象物が抜けるのを防ぐことができる。
【発明の効果】
【００１４】
以上のように、本発明の鉗子によれば、以下の優れた効果が得られる。
請求項１に記載の発明によれば、対となる挟持部は、先端で連結された外側に凸に湾曲して形成された外側部材及び弾性曲げが可能な内側部材と、外側部材の優弧内と内側部材との間に隙間を有し、対象物の形状や状態に従って挟持部を変形しながら挟持し、挟持部の先端から対象物が外れたり、抜けたり、滑ったりすることがなく手術作業性に優れ、外側部材と板状の内側部材からなる簡素な構造であるため製造が容易で、かつ容易に洗浄・消毒することができる衛生性に優れた鉗子を提供することができる。
【００１５】
請求項２に記載の発明によれば、請求項１に記載の効果に加え、以下の優れた効果がえられる。
挟持部は、隙間に配置された一段及至複数段のアーチ型の弾性支持部材を有し、対象物の形状や状態に応じてアーチ型の弾性支持部材の弾性率や段数を選択することで、臓器等の種類に応じて微妙な挟持圧力の調整が可能で対象物の種類や状況に応じ少ない数の鉗子を準備するだけでよく、機能性に優れた鉗子を提供することができる。
【００１６】
請求項３に記載の発明によれば、請求項１又は２に記載の効果に加え、以下の優れた効果がえられる。
蛇腹形、波形、円形、楕円形、多角形の内いずれか１形状に形成された弾性支持部材は隙間に嵌合し固定するだけで、簡単に着脱でき、手術中でも挟持圧力の調整が可能で取扱い性、作業性に優れた鉗子を提供することができる。
【００１７】
請求項４に記載の発明によれば、請求項１及至３のいずれかに記載の効果に加え、以下の優れた効果がえられる。
（１）他方の挟持部が、平板状又は緩やかに外側に凸に湾曲して形成された板材であるため、臓器と臓器間の狭い隙間に挿入し易いので、挟持の確実性、作業性に優れた鉗子を提供することができる。
（２）他方の挟持部を緩やかに湾曲して形成した場合、挟持部の中間で対象物を挟持し易くなり、抜けるのを防止でき、挟持の確実性、手術作業の作業性に優れる鉗子を提供することができる。
【図面の簡単な説明】
【００１８】
【図１】実施の形態１における鉗子の平面図
【図２】（Ａ）鉗子の部分拡大平面図  （Ｂ）鉗子の部分拡大側面図
【図３】（Ａ）、（Ｂ）対象物を挟んだ状態の平面図及び斜視図
【図４】弾性支持部の変形例を示す部分拡大平面図
【図５】（Ａ）実施の形態２における鉗子の平面図  （Ｂ）第２挟持部の部分拡大側面図
【発明を実施するための形態】
【００１９】
対となる挟持部は、先端で連結された外側部材及び弾性曲げが可能な内側部材と、外側部材と内側部材との間に隙間を有し、対象物の形状や状態に従って挟持部を変形しながら挟持し、挟持部の先端から対象物が外れたり、抜けたり、滑ったりすることがなく手術作業性に優れ、板状の外側部材と内側部材からなる簡素な構造であるため製造が容易で、かつ容易に洗浄・消毒することができる衛生性に優れた鉗子を実現することができた。
（実施の形態１）
図１は本発明の実施の形態１に係る鉗子の平面図であり、図２（Ａ）は鉗子の部分拡大平面図であり、同（Ｂ）は鉗子の外側部材の表面の一部拡大側面図である。
【００２０】
図１中、１は本発明の実施の形態１に係る鉗子、２ａ、２ｂは対になり鉗子１を構成する第１、第２鉗子部材、３は１対の鉗子部材２ａ、２ｂが交差する部分に形成された枢軸部、４は枢軸部３の枢軸、５、１５は鉗子部材２ａ、２ｂの一端側に設けられた挟持部、６は鉗子部材２ａ、２ｂの後端に形成され指を挿通して挟持部５の開閉を行う操作部、７は鉗子部材２ａ、２ｂの操作部６側の内側に形成されたラチェット部、８、１８は挟持部５，１５をアーチ状に外側に凸に湾曲して形成された外側部材、９、１９は外側部材８，１８の先端９ａで固定され他端が枢軸３側で移動端に形成され挟持面を形成する弾性曲げ可能な内側部材、１０ａ、１０ｂ、２０ａ、２０ｂは挟持部５、１５の隙間５ａ、１５ａに先端部１０ａ´、１０ｂ´、２０ａ´、２０ｂ´が内側部材９、１９の隙間５ａ、１５ａ内に移動端となって摺動自在で、後端側が後端部９ｂ、１９ｂで内側部材９、１９、外側部材８、１８の間に挟着して固定され、かつ外側部材８、１８よりも大きな曲率で形成されたアーチ型の第１、第２弾性支持部材、１５は第１鉗子部材２ａの第１挟持部５の対向面に形成された第２挟持部、第２挟持部１５は第１挟持部５と対向する位置に対称的に隙間１５ａ、外側部材１８、内側部材１９及びその後端部１９ａ、先端部１９ｂ、弾性支持部材２０ａ、２０ｂ、及びそれらの先端部が形成されている。
【００２１】
第１、第２鉗子部材２ａ、２ｂは、ステンレス、チタン又はチタン合金で形成され弾性支持部材１０ａ、１０ｂ、２０ａ、２０ｂは厚さが０．５ｍｍのステンレス鋼等の高合金鋼で形成されている。耐食性、耐熱性に優れ衛生性や安全性、耐久性に優れるためである。
【００２２】
第１挟持部５及び第２挟持部１５の形状について図２を用いて説明する。
外側部材８、１８も内側部材９、１９と同様板状に形成され、内側部材９、１９と同一の幅（高さ）で形成されている。外側部材８、１８は外側へアーチ状に湾曲し、内側部材９、１９は平面で外側部材８、１８と内側部材９、１９との間に先端部９ａ、１９ａから優弧面中央にかけてその高さが大きくなり、後端部９ｂ、１９ｂ側にかけて再び小さくなる隙間５ａ、１５ａがそれぞれ形成されている。
【００２３】
隙間５ａ、１５ａには、２段のアーチ型の弾性支持部材１０ａ、１０ｂ、２０ａ、２０ｂが端部のうちいずれか一端は外側部材８、１８に固定され、他端は内側部材９，１９の内側に接触した状態で配置されている。アーチ型の弾性支持部材１０ａ、１０ｂ、２０ａ、２０ｂは厚みを薄くし、弾性変形内で屈曲できるようにしている。図２（Ａ）に示すように、このアーチ型の弾性支持部材１０ａ、１０ｂ、２０ａ、２０ｂは後端部９ｂ、１９ｂに挟着され、アーチ型の弾性支持部材１０ａ、１０ｂ、２０ａ、２０ｂの軸方向からの荷重は外側部材８，１８に伝えるが、アーチ型の弾性支持部材１０ａ、１０ｂ、２０ａ、２０ｂからのモーメントは外側部材８，１８に伝えないようにしている。
【００２４】
外側部材の先端部と内側部材の一端部の固定はスポット溶接や接着剤による接着、螺着、挿着、嵌着、かしめ等の手段によって固定される。尚、内側部材の固定は着脱自在としてもよい。内側部材が塑性変形した場合の取り換えや消毒作業の作業性を向上できる。
内側部材の長さは、外側部材の内周壁の長さよりも長く形成される。挟持した際に内側部材が内周壁の円弧の後端部（内周壁から枢軸部側に沿っての変曲点）から外れないためである。
【００２５】
以上のように構成された実施の形態１の鉗子の使用状態について図３を参照しながら説明する。
図３（Ａ）、（Ｂ）は小腸等の対象物を挟んだ状態の平面様式図及び斜視図である。
図３（Ａ）、（Ｂ）中において対象物Ｘは小腸や大腸等の臓器等の対象物である。内側部材９、１９はその中間部に対象物Ｘを挟持すると、対象物Ｘの外形に沿って外側に湾曲しながら挟んである程度まで変形し、対象物Ｘに対して過度の圧迫を加えず、挟持したままの状態で対象物Ｘの膨張や収縮に柔軟に対応できる。
【００２６】
次に、弾性支持部の変形例について説明する。
図４は弾性支持部の変形例を示す部分拡大平面図である。
この実施の形態１においては、２段のアーチ型の弾性支持部材１０ａ、１０ｂ、２０ａ、２０ｂが配置されているが、図４には内側部材と同じ若しくは小さい幅の円形の弾性支持部材２１を脱着自在に嵌合保止して配置されている。
【００２７】
以上のように実施の形態１の鉗子は構成されているので、以下のような作用が得られる。
（１）外側に凸に湾曲した外側部材と、弾性曲げが可能で外側部材と先端で連結された内側部材を有するので、内側部材が対象物である膵臓や腸等の臓器や血管等の器官の形状や状態、糸、器具等の外形に沿った変形が可能となり、対象物を過度に圧迫することなく確実に掴んだり牽引するために挟持することができた。
（２）内側部材の後端部は移動端なので、弾性曲げを可能で対象物の形状に追随することができ、挟持部の先端から対象物が外れたり、抜けたり、滑ったりすることがなく手術作業性に優れていた。
（３）弾性曲げが可能で前記外側部材と先端で連結された内側部材は、閉じた状態で先端が当接して針や糸等の小物も挟持できるだけでなく、中央部は微妙な挟持圧で挟持することができた。
（４）挟持部は、隙間に配置された一段及至複数段のアーチ型の弾性支持部材を有し、対象物の形状や状態に応じてアーチ型の弾性支持部材の弾性率や段数を選択することで、臓器等の種類に応じて微妙な挟持圧力の調整が可能で対象物の種類や状況に応じ少ない数の鉗子を準備するだけでよく、機能性に優れていた。
（５）挟持部は板状の外側部材と内側部材からなる簡素な構成であり容易に製造可能であった。
（６）挟持部は板状の外側部材と内側部材からなる簡素な構成であり容易に洗浄・消毒ができた。
（７）弾性支持部材を隙間に嵌着させることができ着脱を容易に行うことができた。
（８）弾性支持部材の弾性率、数及び種類を変更することにより挟持圧力分布の調整を容易に行うことが可能で患者の血圧等の状況の変化に応じて、迅速に微妙な挟持圧の調整を行うことができた。
【００２８】
ここで、挟持部間の対向面は、挟持部横断面が、一対の噛合する凹凸状に形成してもよい。特に、挟持面が縦溝を有する場合は、縦滑りがし易く、横滑りが起こり難いため臓器を挟持し易い。また、対象物の性質に合せて横溝や変形若しくは格子溝に形成してもよい。
【００２９】
尚、鉗子は、手で開閉を行ってもよいし、鉗子部材の交差部に設けられた枢軸部にサーボモーターを取り付けることで電動又は油圧制御による挟持も可能である。
（実施の形態２）
図５（Ａ）は本発明の実施の形態２に係る鉗子の平面図であり、図５（Ｂ）は第２挟持部の部分拡大側面図である。
【００３０】
図５中、実施の形態１と同一のものは同一の符号を付し説明を省略する。１´は本発明の実施の形態２に係る鉗子、２ｃは対になり鉗子１´を構成する第３鉗子部材、１１は第３鉗子部材２ｃの第２挟持部の内側部材９と同一長さ同じ幅に形成された長尺の第３挟持部、１２は第３挟持部１１にの挟持面、１２ａは挟持面１２に第２挟持部の長さ方向と平行に形成された数本の溝部である。
【００３１】
第３、鉗子部材２ｃは、第２鉗子部材２ｂと同様ステンレス、チタン又はチタン合金で形成されている。
【００３２】
以上のように実施の形態２の鉗子は構成されているので、以下のような作用が得られる。
（１）対となる第１挟持部５及び第３挟持部１１は、第３挟持部１１が平板状に形成されることで、臓器と臓器の間にある狭い隙間に鉗子を挿入し易くなる。
尚、枢軸４にサーボモーターを取り付けて該挟持部５若しくは１１の一方を開閉する場合、他方の該挟持部に圧力センサを取り付けることにより、挟持圧力分布や滑りを検出し、最適な挟持力制御を可能とすることもできる。
（３）挟持面１２が長さ方向と平行に形成された数本の溝部１２ａを有する場合は、縦滑りがし易く、横滑りが起こり難いため臓器を挟持し易い。
尚、第１挟持部５及び第３挟持部１１の組合せは対象物の形状や状況に応じて移動に決めることができる。
【産業上の利用可能性】
【００３３】
本発明は、外科手術において腸や血管等を過度に圧迫し障害を与えることなく、臓器等の対象物の形状や状態に応じて挟持圧力を微妙に調整しながら、かつ対象物が外れたり、抜けたり、滑ったりすることを防止できるので手術作業性に優れる。また、外側部材と内側部材との間の弾性支持部材は簡素な構造であるため製造容易性に優れ、容易に分解洗浄をすることもできるので衛生性に優れた鉗子として利用することができる。
【符号の説明】
【００３４】
１  実施の形態１における鉗子
２ａ、２ｂ、２ｃ  第１、第２、第３鉗子部材
３  枢軸部
４  枢軸
５、１５、１１  第１、第２、第３挟持部
５ａ、１５ａ  隙間
６  操作部
７  ラチェット部
８、１８  第１、第２外側部材
９、１９  第１、第２内側部材
９ａ、１９ａ  先端部
９ｂ、１９ｂ  後端部
１０ａ、１０ｂ  第１弾性支持部材
２０ａ、２０ｂ  第２弾性支持部材
１０ａ´、１０ｂ´  第１弾性支持部材先端部
２０ａ´、２０ｂ´  第２弾性支持部材先端部
１１  実施の形態２における第３挟持部
１２  挟持面
１２ａ  溝部
２１  円型の弾性支持部材
【図１】
2010259677.tif 000003
【図２】
2010259677.tif 000004
【図３】
2010259677.tif 000005
【図４】
2010259677.tif 000006
【図５】
2010259677.tif 000007